(57)【要約】【課題】操作性及び清掃作業性が優れたリモコン装置を提供する。【解決手段】リモコン装置１において、リモコン本体２と、リモコン本体２に開閉自在に取り付けられたカバー３とを設ける。リモコン本体２の前面の角部にスイッチ４を設け、中央部に表示部５を設ける。カバー３は下パネル８及び上パネル９を重ねて構成し、カバー３を閉じたときに表示部５を露出させる開口部７を形成する。下パネル８は、付勢手段１２及び規制手段１３により、上パネル１８を回動可能に支持する。上パネル９の角部には、後方に向かって突出した突出部１７を形成する。突出部１７は、下パネル８の孔１５を挿通し、カバー３を閉じたときに、リモコン本体２のスイッチ４に整合する。これにより、カバー３が閉じているときに、カバー３がリモコン本体２に向けて押圧されることにより、カバー３の突出部１７がリモコン本体２に向けて変位し、スイッチ４を押下する。【選択図】図１
2007288369.tif 000002
【特許請求の範囲】
【請求項１】
電子機器を操作するためのリモコン装置であって、
リモコン本体と、
前記リモコン本体に開閉自在に取り付けられ、閉じたときに前記リモコン本体の前面を覆い開いたときに前記前面を露出させるカバーと、
を備え、
前記リモコン本体は、
前記リモコン本体の前面に設けられたスイッチと、
前記リモコン本体の前面に設けられ操作内容を表示する表示部と、
を有し、
前記カバーは、
閉じたときに前記表示部を露出させる開口部を有し、
前記カバーが閉じているときに、前記カバーが前記リモコン本体に向けて押圧されることにより、前記カバーの少なくとも一部が前記リモコン本体に向けて変位し、この変位により前記カバーが前記スイッチを押圧することを特徴とするリモコン装置。
【請求項２】
前記カバーは、
前記カバーを閉じたときに前記リモコン本体に対して位置決めされる下パネルと、
前記下パネルから見て前記リモコン本体の反対側に重ねられ前記下パネルに支持された上パネルと、
を有し、
前記下パネルは、
前記上パネルを前記下パネルから離れる方向に向けて付勢する付勢手段と、
前記上パネルの前記下パネルから離れる方向への移動を規制して前記付勢手段と共に前記上パネルの前記下パネルに対する姿勢を一定に保つ規制手段と、
を有し、
前記上パネルは、
前記カバーを閉じたときに前記スイッチに整合する位置に設けられたスイッチ操作手段を有することを特徴とする請求項１記載のリモコン装置。
【請求項３】
前記上パネルには複数の前記スイッチ操作手段が設けられており、
前記上パネル若しくは下パネルのいずれか一方は、前記スイッチ操作手段間の領域に相当する領域に設けられ前記上パネルの前記下パネルに向かう方向への移動を規制するリブをさらに有したことを特徴とする請求項２記載のリモコン装置。
【請求項４】
前方から見て、前記リモコン本体及び前記カバーの外縁が多角形をなしており、前記スイッチ操作手段が前記多角形の角部に設けられていることを特徴とする請求項１〜３のいずれか１つに記載のリモコン装置。
【請求項５】
前方から見て、前記リモコン本体及び前記カバーの外縁が多角形をなしており、前記スイッチ操作手段が前記多角形の辺部に設けられていることを特徴とする請求項１〜３のいずれか１つに記載のリモコン装置。
【請求項６】
前記カバーの前面を押圧することにより前記スイッチを押圧可能な押圧領域には、前記カバーにおける前記押圧領域に接する領域とは異なる色で色分けされていることを特徴とする請求項１〜５のいずれか１つに記載のリモコン装置。
【請求項７】
前記カバーの前面を押圧することにより前記スイッチを押圧可能な押圧領域には、前記押圧領域を識別するための図柄が表示されていることを特徴とする請求項１〜６のいずれか１つに記載のリモコン装置。
【請求項８】
前記カバーの前面を押圧することにより前記スイッチを押圧可能な押圧領域には、前記押圧領域を識別するための凹部、凸部又は凹凸部が形成されていることを特徴とする請求項１〜７のいずれか１つに記載のリモコン装置。
【請求項９】
前記カバーの前面を押圧することにより前記スイッチを押圧可能な押圧領域は、前方から見て、前記リモコン本体から張り出していることを特徴とする請求項１〜８のいずれか１つに記載のリモコン装置。
【請求項１０】
前記カバーを閉じたときに、前記カバーの前面及び前記表示部の前面は、略連続した面を形成することを特徴とする請求項１〜９のいずれか１つに記載のリモコン装置。
【請求項１１】
前記リモコン本体は、前記表示部の周囲に配置されその端部が前記表示部の端部に乗り上げた他のスイッチをさらに有し、
前記カバーを閉じたときに、前記カバーの開口部は前記表示部と共に前記他のスイッチも露出させ、
前記カバーの前面、前記他のスイッチの前面及び前記表示部の前面は、略連続した面を形成することを特徴とする請求項１〜９のいずれか１つに記載のリモコン装置。
【請求項１２】
前記電子機器は、便器に付設される衛生洗浄装置であることを特徴とする請求項１〜１１のいずれか１つに記載のリモコン装置。
【発明の詳細な説明】
【技術分野】
【０００１】
本発明は、リモコン装置に関し、例えば、トイレ装置に搭載された衛生洗浄装置等の電子機器を操作するためのリモコン装置に関する。
【背景技術】
【０００２】
一般に、電子機器を操作するためのリモコン装置には、液晶パネル等からなる表示部、及び複数個の操作釦等からなる操作部が設けられている。近年、トイレにおいても、使用者の「おしり」などを洗浄する衛生洗浄装置等の電子機器が設けられ、また、便器内の排水及び便蓋の開閉等も電子的に制御するようになっている。このため、これらの電子機器を操作するリモコン装置が、トイレルームの壁等に設置されている。
【０００３】
例えば、特許文献１には、トイレ装置に取り付けられた衛生洗浄装置のリモコン装置において、リモコン本体に対して開閉自在に取り付けられたカバーを設ける技術が開示されている。そして、リモコン本体の前面に、操作内容等を表示する表示部及び複数個の操作釦を設け、カバーには複数の開口部を形成し、カバーを閉じたときに表示部及び主要な操作釦を開口部から露出させている。これにより、カバーを閉じた状態で主要な操作釦及び表示部の視認を行うことができ、カバーを開くとより細かい設定等を行うことができる。開口部から露出した操作釦の中には、カバーの表面よりも突出した形状を持つものもある。
【０００４】
【特許文献１】特開２００３−１０５８３２号公報
【発明の開示】
【発明が解決しようとする課題】
【０００５】
しかしながら、上述の従来の技術には、以下に示すような問題点がある。すなわち、特許文献１に記載のリモコン装置においては、リモコン装置の前面に複数個の操作釦が露出しているため、操作に慣れていない人にとっては操作釦の選択が難しい。また、使用者が実行したい機能に応じて比較的小さい操作釦を押し分ける必要がある。ところで、衛生洗浄装置のリモコン操作は、使用者が衛生洗浄装置の便座に座った状態で操作釦を操作するが、リモコン装置は設置場所の状況に応じて右側壁か左側壁のどちらかに取り付けられているため、利き手以外の手でも楽に操作できることが望まれている。更に、リモコンを設置した側の手を怪我しているような場合には、リモコン装置を取り付けた壁と反対側の手でリモコン装置の操作釦を操作する必要があり、操作性のより一層の向上が望まれている。
また、リモコン装置を清掃する際に、カバーの表面を布等で拭こうとすると、この布がカバーの表面から突出した操作釦に引っ掛かってしまい、清掃作業の妨げとなる。
【０００６】
本発明の目的は、操作性に優れ、且つ清掃作業性が優れたリモコン装置を提供することである。
【課題を解決するための手段】
【０００７】
本発明の一態様によれば、電子機器を操作するためのリモコン装置であって、リモコン本体と、前記リモコン本体に開閉自在に取り付けられ、閉じたときに前記リモコン本体の前面を覆い開いたときに前記前面を露出させるカバーと、を備え、前記リモコン本体は、前記リモコン本体の前面に設けられたスイッチと、前記リモコン本体の前面に設けられ操作内容を表示する表示部と、を有し、前記カバーは、閉じたときに前記表示部を露出させる開口部を有し、前記カバーが閉じているときに、前記カバーが前記リモコン本体に向けて押圧されることにより、前記カバーの少なくとも一部が前記リモコン本体に向けて変位し、この変位により前記カバーが前記スイッチを押圧することを特徴とするリモコン装置が提供される。
【発明の効果】
【０００８】
本発明によれば、カバーを閉じた状態で主要な操作釦及び表示部の視認が可能であり、操作性に優れ、且つ清掃作業性が優れたリモコン装置を実現することができる。
【発明を実施するための最良の形態】
【０００９】
以下、図面を参照しつつ本発明の実施形態について説明する。  
図１（ａ）及び（ｂ）は、本実施形態に係るリモコン装置を例示する斜視図であり、（ａ）はカバーが閉じた状態を示し、（ｂ）はカバーが開いた状態を示す。  
本実施形態に係るリモコン装置１は、例えば、トイレ装置に搭載された衛生洗浄装置等の電子機器を操作するためのリモコン装置であり、トイレルームの壁に固定的に設置されている。
【００１０】
図１（ａ）及び（ｂ）に示すように、本実施形態に係るリモコン装置１においては、リモコン本体２と、カバー３とが設けられている。カバー３は、リモコン本体２に開閉自在に取り付けられており、閉じているときにリモコン本体２の前面を覆い、開いているときにリモコン本体２の前面を露出させる。リモコン装置１が取り付けられた壁面（図示せず）に垂直な方向から見て、例えば、リモコン本体２の外形とカバー３の外形とは略一致しており、両方とも例えば正方形である。そして、カバー３の一端部は、リモコン本体２の下端部に対して回動自在に連結されている。これにより、カバー３は、その一端部を回動中心として約１８０度の範囲で回動可能とされており、上位置にあるときにはリモコン本体２を覆い、下位置にあるときにはリモコン本体２を露出させる。以下、カバー３が閉じているときに、リモコン本体２からカバー３に向かう方向を「前方」といい、カバー３からリモコン本体２に向かう方向を「後方」という。
【００１１】
リモコン本体２の前面の４ヶ所の角部には、それぞれスイッチ４が設けられている。スイッチ４は、押圧されることにより操作されるスイッチである。スイッチ４には、衛生洗浄装置の操作のうち使用頻度が高い操作、例えば、局部洗浄用水の吐出の開始及び停止等の操作が割り当てられている。また、リモコン本体２の前面の中央部には表示部５が設けられている。表示部５は、衛生洗浄装置等の操作内容の少なくとも一部を表示するものである。更に、リモコン本体２には、操作内容を表す制御信号を衛生洗浄装置等の電子機器に対して送信する送信部６が設けられている。
【００１２】
なお、リモコン本体２の前面には、スイッチ４及び表示部５の他に、衛生洗浄装置の操作のうち使用頻度が低い操作、例えば、局部洗浄用水の温度設定及び便座の温度設定等の操作が割り当てられたスイッチ（図示せず）が設けられていてもよい。また、カバー３により覆われないリモコン本体２の上面には、使用者が立った状態で操作する頻度が高いスイッチ、例えば、便器内の排水及び便蓋の開閉等を制御する電子機器を操作するためのスイッチ（図示せず）が設けられていてもよい。更に、表示部５は、操作内容の他に、現在時刻又はバッテリの残量等の情報を表示することができてもよいし、表示部５を光らせることができてもよい。
【００１３】
一方、カバー３は、カバー３を閉じたときにリモコン本体２側に配置される下パネル８と、リモコン本体２の反対側に配置される上パネル９とが重ねられて構成されている。下パネル８はリモコン本体２に回動可能に連結されており、カバー３を閉じたときに、リモコン本体２に対して位置決めされる。また、上パネル９は下パネル８に支持されている。
【００１４】
下パネル８には、カバー３を閉じたときにリモコン本体２の表示部５を露出させる開口部１１が形成されている。また、下パネル８には、上パネル９を下パネル８から離れる方向に向けて付勢する付勢手段１２が設けられていると共に、上パネル９の下パネル８から離れる方向への移動を規制する規制手段１３が設けられている。そして、付勢手段１２及び規制手段１３により、上パネル９の下パネル８に対する姿勢を一定に保っており、例えば、上パネル９を下パネル８に対して平行に保持している。更に、下パネル８の４ヶ所の角部には、孔１５が形成されている。
【００１５】
上パネル９には、カバー３を閉じたときにリモコン本体２の表示部５を露出させる開口部１６が形成されている。下パネル８の開口部１１と上パネル９の開口部１６とは相互に整合する位置に形成されており、両開口部によりカバー３の開口部７が構成されている。また、上パネル９の４ヶ所の角部には、スイッチ操作手段として、下パネル８に向かって突出した突出部１７が形成されている。突出部１７は、下パネル８の孔１５を挿通し、カバー３を閉じたときに、リモコン本体２のスイッチ４に整合する位置に配置されている。なお、スイッチ操作手段は突起部には限定されない。例えば、カバー３はスイッチ４に当接するようになっており、スイッチ操作手段は、このカバー３のスイッチ４への当接部位などであってもよい。
【００１６】
次に、本実施形態に係るリモコン装置１の動作について説明する。  
リモコン装置１は、通常、カバー３が閉じた状態で使用される。このとき、表示部５は、カバー３の開口部７を介して外部に露出されており、リモコン本体２の前面における表示部５以外の領域は、カバー３により覆われている。そして、リモコン装置１が操作されていないときは、下パネル８の付勢手段１２が上パネル９を下パネル８から離れる方向、すなわち前方に向けて付勢し、一方、規制手段１３が上パネル９の前方への移動を規制する。これにより、上パネル９は、下パネル８に対して例えば平行に保持される。このとき、上パネル９の突出部１７は、下パネル８の孔１５を挿通しているが、スイッチ４は押圧していない。
【００１７】
この状態で、使用者（図示せず）がカバー３の上パネル９の角部を押圧すると、この角部が付勢手段１２の付勢力に打ち勝って下パネル８に近づく方向に変位し、上パネル９が下パネル８に対して傾斜する。そうすると、この押圧された角部に位置する突出部１７が、孔１５を介してこの角部に配置されたスイッチ４に当接し、このスイッチ４を押圧する。この結果、このスイッチ４が操作される。このように、カバー３が閉じているときに、カバー３がリモコン本体２に向けて押圧されることにより、カバー３の少なくとも一部がリモコン本体２に向けて変位し、この変位した部分に設けられた突出部１７がスイッチ４を押圧する。このとき、この押圧された角部以外の角部に配置された突出部１７は、対応するスイッチ４を押圧しない。この操作内容は送信部６に伝達され、送信部６がこの操作内容を表す制御信号を衛生洗浄装置等に向けて送信する。これにより、衛生洗浄装置等が要求された動作を実行する。なお、このとき、表示部５がこの操作内容を表示してもよい。そして、使用者が上パネル９から手を離すと、付勢手段１２の付勢力によって上パネル９の姿勢が元の状態に戻り、スイッチ４が元の状態に戻る。
【００１８】
次に、本実施形態の効果について説明する。  
上述の如く、本実施形態によれば、カバー３がスイッチ４を覆った状態のまま、カバー３の上パネル９の一部の領域を押圧することにより、スイッチ４を操作することができるので、従来技術のような押釦と比べて、スイッチ操作可能な押圧領域が格段に広く、操作性が向上する。また、カバー３の開口部７を介して、表示部５を視認することができる。このため、使用頻度が高い操作は、カバー３を閉じたままで行うことができる。そして、リモコン装置１を清掃する際に、カバー３の前面を布等で拭く場合でも、スイッチ４がカバー３により覆われており、カバー３の開口部７から突出した部材が存在しないため、布等が引っ掛かることがなく、清掃作業性が良好である。
【００１９】
以下、本実施形態に係るリモコン装置を具現化するための具体例について説明する。  
本具体例に係るリモコン装置は、トイレ装置に搭載された衛生洗浄装置、便器内の排水を制御する制御装置、及び便蓋の開閉を制御する制御装置、並びにトイレルームの暖房装置の制御装置等の電子機器（以下、総称して「衛生洗浄装置等」という）を操作するためのリモコン装置であり、トイレルームの壁に固定的に設置されている。
【００２０】
先ず、本具体例に係るリモコン装置の外観上の特徴について説明する。  
図２は、本具体例に係るリモコン装置を例示する斜視図である。なお、図２は、カバーが開いた状態を示しており、表面シートは図示を省略されている。  
図３は、本具体例に係るリモコン装置のリモコン本体を例示する正面図及び上面図であり、  
図４は、本具体例に係るリモコン装置を例示する平面図であり、カバーが閉じた状態を示し、  
図５は、本具体例に係るリモコン装置を例示する背面図である。
【００２１】
図２に示すように、本具体例に係るリモコン装置２１においては、リモコン本体２２と、カバー２３とが設けられている。リモコン装置２１が設置されている壁面（図示せず）に垂直な方向から見て、例えば、リモコン本体２２の外形とカバー２３の外形とは略一致しており、両方とも例えば角が丸められた正方形である。そして、カバー２３の一端部は、ヒンジ２４を介して、リモコン本体２２の下端部に回動自在に連結されている。これにより、カバー２３は、ヒンジ２４を回動中心として約１８０度の範囲で回動可能である。この結果、カバー２３は、上位置にあるときにはリモコン本体２２の前面を覆い、下位置にあるときにはリモコン本体２２の前面を露出させる。
【００２２】
図２及び図３に示すように、リモコン本体２２の前面の４ヶ所の角部には、それぞれスイッチ２５が設けられている。スイッチ２５は、押圧されることにより操作されるスイッチである。スイッチ２５には、衛生洗浄装置の操作のうち使用頻度が高い操作、例えば、局部洗浄用水の吐出の開始及び停止等の操作が割り当てられている。また、リモコン本体２２の前面の中央部には表示部２６が設けられている。表示部２６は、衛生洗浄装置等の操作内容の少なくとも一部、並びに現在時刻及びバッテリの残量等の情報を表示し、スイッチ２５、スイッチ２７若しくはスイッチ２８のうちいずれかのスイッチを押すと光るものである。
【００２３】
更に、リモコン本体２２の前面における表示部２６の周囲には、表示部２６を囲むように、複数個のスイッチ２７が設けられている。スイッチ２７は、押圧されることにより操作されるスイッチである。スイッチ２７は例えば７個設けられており、表示部２６の上方に１個、左方、右方及び下方にそれぞれ２個配置されている。スイッチ２７の前面は、リモコン本体２２の前面に対して傾斜しており、その外周側、すなわち表示部２６から遠い側の端縁は、その内周側、すなわち、表示部２６側の端縁より前方に位置している。そして、各スイッチ２７の内周側の端部は表示部２６の保護板２６ｄ（図６参照）の端部に乗り上げており、スイッチ２７の前面は表示部２６の前面と略連続的な面をなしている。一方、各スイッチ２７の外周側の端縁はリモコン本体２２の前面よりも前方に位置している。従って、スイッチ２７はリモコン本体２２の前面における他の領域よりも前方に突出している。
【００２４】
スイッチ２７には、例えば、衛生洗浄装置の操作のうち、スイッチ２５に割り当てられた操作に次いで使用頻度が高い操作が割り当てられている。一例では、表示部２６の向かって左方に配置された２個のスイッチ２７は、局部洗浄用水の勢いを制御するものであり、この２個のスイッチ２７のうち上側のスイッチ２７の前面には「＋」、下側のスイッチ２７の前面には「−」の文字がそれぞれ表記されている。また、表示部２６の向かって右側に配置された２個のスイッチ２７は、局部洗浄用水の吐出位置を制御するものであり、この２個のスイッチ２７のうち上側のスイッチ２７の前面には「▲」、下側のスイッチ２７の前面には「▼」の記号がそれぞれ表記されている。これらのスイッチ２７を操作して局部洗浄用水の勢い及び位置を制御するときには、表示部２６の向かって左側の領域には、「水勢」の文字及び局部洗浄用水の勢いを示す図形が表示され、表示部２６の向かって右側の領域には、「洗浄位置」の文字及び局部洗浄用水の吐出位置を示す図形が表示される。これにより、使用者は、表示部２６の表示を見ながら、この表示に隣接したスイッチ２７を操作することにより、局部洗浄用水の勢い及び吐出位置を容易に制御することができる。
【００２５】
更に、表示部２６の上方に配置された１個のスイッチ２７は、衛生洗浄装置の乾燥機能、すなわち、使用者の局部に温風を噴射する機能を操作するものであり、このスイッチ２７の前面には「乾燥」の文字が表記されている。更にまた、表示部２６の下方に配置された２個のスイッチ２７は、それぞれ衛生洗浄装置のムーブ機能及びマッサージ機能を操作するものであり、これらのスイッチ２７の前面には、それぞれ「ムーブ  入／切」及び「マッサージ  入／切」の文字が表記されている。
【００２６】
更にまた、リモコン本体２２の前面における表示部２６及びスイッチ２７が配置されている領域の周囲には、複数個のスイッチ２８が設けられている。スイッチ２８も、押圧されることにより操作されるスイッチである。これらのスイッチ２８には、比較的使用頻度が低い操作が割り当てられている。例えば、スイッチ２８には、室内暖房機能の操作、衛生洗浄装置のモード設定、時刻設定、並びに局部洗浄用水、乾燥用温風、便座及び室内暖房の温度設定等の操作が割り当てられている。なお、この領域には軟質な表面シート２９が設けられており、スイッチ２８は表面シート２９に覆われている。そして、使用者は、表面シート２９を介してスイッチ２８を押圧する。
【００２７】
更にまた、カバー２３により覆われないリモコン本体２２の上面には、使用者が立った状態で操作する頻度が高いスイッチ、例えば便器内の排水及び便蓋の開閉等を制御する制御装置を操作するためのスイッチ３０が設けられている。例えば、スイッチ３０は５個設けられており、それぞれのスイッチ３０の上面には、向かって左側から順に、大用の排水を行うことを示す「大」の文字及び図形、小用の排水を行うことを示す「小」の文字及び図形、便座及び便蓋の双方を閉じることを示す図形、便座を閉じ便蓋を開くことを示す図形、並びに、便座及び便蓋の双方を開くことを示す図形が表記されている。スイッチ３０は表面シート２９の背後に配置されている。これにより、前方から見たときにスイッチ３０の側面が隠されて見た目がすっきりすると共に、スイッチ３０の相互間及びスイッチ３０とその周囲の部材との間の隙間に埃等が侵入することを防止できる。
【００２８】
更にまた、リモコン本体２２の上面の左右両端部には、操作内容を表す制御信号を衛生洗浄装置等に対して送信する送信部３１が設けられている。送信部３１は、例えば赤外線を発信するものである。なお、衛生洗浄装置等には、この赤外線を受信する受信部が設けられている。
【００２９】
一方、カバー２３は、カバー２３を閉じたときにリモコン本体２２側に配置される下パネル４１と、リモコン本体２２の反対側に配置される上パネル４２とが重ねられて構成されている。ヒンジ２４は下パネル４１に連結されており、従って、カバー２３を閉じたときに、下パネル４１はリモコン本体２２に対して固定され、上パネル４２は下パネル４１により支持されている。
【００３０】
図４に示すように、カバー２３には、カバー２３を閉じたときにリモコン本体２２の表示部２６及びスイッチ２７を露出させる１つの開口部４５が形成されている。前方から見て、開口部４５はカバー２３の中央部に配置されており、その形状は例えば正方形である。開口部４５は、カバー２３の下パネル４１及び上パネル４２にそれぞれ形成された開口部により構成されている。これにより、カバー２３を閉じたときに、表示部２６及びスイッチ２７が開口部４５内に配置され、開口部４５を介して外部に露出される。
【００３１】
そして、カバー２３の前面の高さは、スイッチ２７の外周側、すなわち、表示部２６から遠い側の端縁の高さと略等しくなっている。一方、前述の如く、スイッチ２７の内周側、すなわち、表示部２６側の端部は、表示部２６の端部に乗り上げており、スイッチ２７の前面と表示部２６の前面とは略連続的な面を構成している。従って、カバー２３の前面、スイッチ２７の前面及び表示部２６の前面は、略連続的な面を構成している。これにより、カバー２３を閉じると、リモコン装置２１の前面は、全体的に略連続的な面となる。
【００３２】
また、カバー２３の前面における角部であって、カバー２３を閉じたときに、リモコン本体２２のスイッチ２５の前方に相当する領域には、皿状の凹部４６が形成されている。各凹部４６には、それぞれ対応するスイッチ２５の操作内容を示す表記が印刷されている。一例では、向かって上左側の凹部４６には、局部洗浄用水の吐出停止を表す「■」の記号が印刷され、その近傍には「止」の文字が印刷されている。また、向かって上右側の凹部４６には、通常の局部洗浄用水の吐出開始を表す図形が印刷され、その近傍には「おしり」の文字が印刷されている。更に、向かって下右側の凹部４６には、泡状の局部洗浄用水の吐水開始を表す図形が印刷され、その近傍には「やわらか」の文字が印刷されている。更にまた、向かって下左側の凹部４６には、ビデ用水の吐出開始を表す図形が印刷され、その近傍には「ビデ」の文字が印刷されている。  
なお、カバー２３の各押圧領域を識別するために、凹部４６の替わりに凸部を形成してもよく、凹凸部を形成してもよい。また、これらの凹部、凸部又は凹凸部は、カバー２３の押圧領域の一部に形成してもよく、押圧領域全体に形成してもよい。
【００３３】
一方、図５に示すように、リモコン本体２２の背面板４７には、リモコン本体２２を壁面に取り付けるためのハンガー４８が設けられている。
【００３４】
次に、本具体例に係るリモコン装置の内部構造の特徴について説明する。  
図６乃至図１８は、本具体例に係るリモコン装置の内部構造を例示する図である。  
すなわち、図６は、本具体例に係るリモコン装置を例示する鉛直方向及び前後方向に平行な断面斜視図である。なお、図６においては、表面シートは図示を省略されている。  
また、図７は、本具体例に係るリモコン装置の下パネルを例示する斜視図であり、  
図８は、この下パネルに形成されたリブを例示する一部拡大斜視図である。
【００３５】
更に、図９は、本具体例に係るリモコン装置を例示する平面図であり、  
図１０（ａ）及び（ｂ）は、それぞれ図９に示すＡ−Ａ’線による断面図及び断面斜視図であり、  
図１１（ａ）及び（ｂ）は、それぞれ図９に示すＢ−Ｂ’線による断面図及び断面斜視図であり、  
図１２（ａ）及び（ｂ）は、それぞれ図９に示すＣ−Ｃ’線による断面図及び断面斜視図である。
【００３６】
更にまた、図１３は、本具体例に係るリモコン装置を例示する平面図であり、  
図１４は、図１３に示すＤ−Ｄ’線による断面斜視図であり、  
図１５は、図１３に示すＤ−Ｄ’線による一部拡大断面斜視図であり、  
図１６は、図１３に示すＥ−Ｅ’線による断面斜視図であり、  
図１７は、図１３に示すＥ−Ｅ’線による一部拡大断面斜視図であり、  
図１８は、図１３に示すＦ−Ｆ’線による一部拡大断面斜視図である。
【００３７】
図６に示すように、リモコン本体２２においては、背面板４７の前面上に支持架台５０が設けられており、この支持架台５０により、スイッチ２５、２７及び２８並びに表示部２６等のリモコン本体２２を構成する各部品が支持されている。
【００３８】
表示部２６においては、光源としてＬＥＤ（Light Emitting Diode：発光ダイオード）２６ａが設けられており、ＬＥＤ２６ａの出射光が到達する位置に、導光板２６ｂが設けられている。導光板２６ｂは、その側面から入射された光を、その前面から均一な面状に出射するものである。導光板２６ｂの前方には、液晶表示パネル２６ｃが設けられており、液晶表示パネル２６ｃの前方には、保護板２６ｄが設けられている。これにより、ＬＥＤ２６ａから出射した光が、導光板２６ｂの側面に入射し、導光板２６ｂの前面から前方に向けて面状に出射し、液晶表示パネル２６ｃを通過することにより画像が付加され、保護板２６ｄを透過して、表示部２６から前方に出射する。
【００３９】
また、図６及び図９乃至図１２に示すように、スイッチ２７においては、リモコン本体２２の前面に露出したキートップ２７ａと、キートップ２７ａの後方に配置されリモコン本体２２の支持架台５０に取り付けられた接点部２７ｂとが設けられている。キートップ２７ａにおいては、スイッチ２７の前面を構成する前面板２７ｃと、前面板２７ｃの外周側の幅方向中央部から後方に延びた押圧部２７ｄと、前面板２７ｃの外周側の幅方向両端部から後方に延びた２対の係止部２７ｅと、が一体的に形成されている。押圧部２７ｄの先端部（後方側部分）は根元部（前方側部分）よりも薄くなっており、これにより、押圧部２７ｄの外周側の面には、段差２７ｆが形成されている。また、前面板２７ｃの内周側の端部２７ｇは、表示部２６の保護板２６ｄの前面上に乗り上げている。さらに、キートップ２７ａの外周面の前部は、前方に向かうにつれて表示部２６側に湾曲している。
【００４０】
一方、リモコン本体２２の前面を構成するトッププレート２２ａには、各対の係止部２７ｅ間に位置するようにスイッチ２７の幅方向に延びた延出部５０ａと、キートップ２７ａが押下されたときに段差２７ｆが係合する張出部５０ｂと、が設けられている。  
これにより、キートップ２７ａは、係止部２７ｅがトッププレート２２ａの延出部５０ａと係合することにより案内されて、前面板２７ｃの内周側の端部２７ｇを回動軸として、前後方向に回動可能とされている。そして、係止部２７ｅが延出部５０ａにより係止されることによって、キートップ２７ａの移動域の前方側の端が規定され、段差２７ｆが張出部５０ｂに当接することにより、キートップ２７ａの移動域の後方側の端が規定される。
【００４１】
図６に示すように、前方から見て、上パネル４２の外形は下パネル４１の外形よりも一回り大きく、また、上パネル４２の両側端縁及び上端縁における両端付近は、一旦後方に折り曲げられた後、内側に折り曲げられて、コ字状部４３となっている。コ字状部４３は、上パネル４２全体で８ヶ所形成されている。このコ字状部４３は、下パネル４１の端部に形成された係合部４４（図７参照）を包み込むことによって、上パネル４２の下パネル４１から離れる方向への移動を規制する規制手段として機能する。
【００４２】
図８は、図７に示す領域６０を拡大して示す図である。図７及び図８に示すように、下パネル４１の中央部には、カバー２３の開口部４５を構成する開口部５１が形成されている。また、下パネル４１の上パネル４２側の面における各辺部の中央であって、開口部５１に近接する領域には、下パネル４１の中央から周辺に向かって延びるリブ５２が設けられている。すなわち、下パネル４１の上パネル４２側の面においては、４本のリブ５２が放射状に配置されている。リブ５２は、上パネル４２の下パネル４１に向かう方向への移動を規制するものである。本具体例においては、リブ５２を下パネルに設けているが、上パネルに設けてもよい。更に、下パネル４１の４ヶ所の角部には、孔５３が形成されている。更にまた、下パネル４１の端部における上パネル４２のコ字状部４３に係合する部分には、係合部４４が設けられている。
【００４３】
図１３乃至図１４に示すように、下パネル４１には、上パネル４２を下パネル４１から離れる方向に向けて付勢する付勢手段としてのバネ５４が設けられている。そして、バネ５４が上パネル４２を下パネル４１から離れる方向に付勢し、前述のコ字状部４３が係合部４４を係合して上パネル４２の下パネル４１から離れる方向への移動を規制することにより、上パネル４２の下パネル４１に対する姿勢を一定に保っており、例えば、上パネル４２を下パネル４１に対して平行に保持している。
【００４４】
また、図６に示すように、上パネル４２の中央部には、開口部５７が形成されている。この開口部５７及び下パネル４１の開口部５１により、カバー２３の開口部４５が構成されている。更に、図１５乃至図１７に示すように、上パネル４２の４ヶ所の角部には、後方に向かって突出した突出部５６が形成されている。突出部５６は、下パネル４１の孔５３を挿通し、カバー２３を閉じたときに、リモコン本体２２のスイッチ２５に整合する位置に配置されている。なお、突出部５６は、バネ５４内を挿通する位置に配置されている。
【００４５】
更に、上パネル４２の開口部５７の側面の前部は、前方に向かうにつれて表示部２６側に湾曲している。これにより、開口部５７の側面は、キートップ２７ａの外周面に沿ってこの外周面を覆うように張り出し、開口部５７の側面とキートップ２７ａの外周面との間には、略均一な隙間が形成されている。この隙間の大きさは、上パネル４２及びキートップ２７ａの動作軌跡を考慮して、カバー２３とキートップ２７ａとが接触しない範囲で、極力小さく設計されている。
【００４６】
次に、本実施形態に係るリモコン装置２１の動作について説明する。  
リモコン装置２１は、通常、カバー２３が閉じた状態で使用される。このとき、リモコン本体２２の中央部に設けられた表示部２６及びスイッチ２７は、カバー２３の開口部４５を介して外部に露出され、リモコン本体２２の前面におけるそれ以外の部分は、カバー２３により覆われる。従って、スイッチ２５及び２８はカバー２３により隠蔽されて見えない状態にある。また、リモコン本体２２の上面に配置されたスイッチ３０は、リモコン装置２１の上面において露出している。そして、使用者は、カバー２３が閉じた状態において、スイッチ２５、スイッチ２７及びスイッチ３０を操作することができ、また、表示部２６を視認することができる。一方、使用者は、カバー２３を開くことにより、スイッチ２８を操作することができる。また、この場合にも、表示部２６を視認することができ、スイッチ２７、２８及び３０を操作することができる。
【００４７】
次に、スイッチ２５を操作する際の動作について説明する。  
使用者がカバー２３に触れていないときは、カバー２３の下パネル４１のバネ５４が、上パネル４２を前方に向けて付勢し、一方、上パネル４２のコ字状部４３が下パネル４１の係合部４４に係合して、上パネル４２の前方への移動を規制する。これにより、上パネル４２は、下パネル４１に対して例えば平行に保持される。このとき、上パネル４２の突出部５６は、下パネル４１の孔５３を挿通しているが、スイッチ２５は押圧していない。
【００４８】
この状態で、使用者がカバー２３の上パネル４２の角部に形成された凹部４６若しくはその周辺領域を押圧すると、上パネル４２の角部がバネ５４の付勢力に打ち勝って下パネル４１に近づき、上パネル４２が下パネル４１に対して傾斜する。そうすると、この押圧された凹部４６の後方に位置する突出部５６が、下パネル４１の孔５３を介して、その後方に配置されたスイッチ２５を押圧する。この結果、このスイッチ２５が操作される。このとき、この押圧された角部以外の角部に配置された突出部５６は、対応するスイッチ２５を押圧しない。このようにして、使用者は、カバー２３を閉じた状態でスイッチ２５を操作することができる。そして、使用者が凹部４６から手を離すと、バネ５４の付勢力によって上パネル４２の姿勢が元の状態に戻り、スイッチ２５が元の状態に復帰する。
【００４９】
一方、使用者がカバー２３の辺部の中央付近を押圧した場合は、上パネル４２が下パネル４１のリブ５２に当接することにより、上パネル４２の後方への移動が規制される。このため、いずれのスイッチ２５も押圧されない。これにより、使用者がカバー２３の辺部の中央付近を押圧したときに、この辺部を挟む２個のスイッチ２５が操作されてしまうといった誤動作を防止することができる。  
よって、使用者はカバー２３の角部周辺の広い部位をスイッチ２５の操作が可能な領域として取り扱うことができるので、スイッチ操作可能な押圧領域が格段に広くなり、リモコン装置の操作性が向上する。
【００５０】
以下、使用者がカバー２３の角部（凹部４６）を押圧した場合と、辺部を押圧した場合との動作の違いを、数値例を挙げて定量的に説明する。  
図１９は、本具体例に係るリモコン装置における各部の寸法を模式的に例示する図である。  
図２０（ａ）及び（ｂ）は、カバーの角部が押圧されたときの動作を例示する図であり、（ａ）は下パネルの寸法を模式的に示す平面図であり、（ｂ）は上パネルが傾斜したときの各位置の変位量を示す図である。図２０（ｂ）は、上パネルを図２０（ａ）に示す方向６１に対して直交する方向から見た図である。  
図２１（ａ）及び（ｂ）は、カバーの辺部が押圧されたときの動作を例示する図であり、（ａ）は下パネルの寸法を模式的に示す平面図であり、（ｂ）は上パネルが傾斜したときの各位置の変位量を示す図である。図２１（ｂ）は、上パネルを図２１（ａ）に示す方向６２に対して直交する方向から見た図である。
【００５１】
図１９に示すように、上パネル４２がバネ５４（図１４参照）によって下パネル４１から離れる方向に付勢されているときは、例えば、下パネル４１のリブ５２と上パネル４２との間のクリアランスは１．１５ｍｍであり、下パネル４１の係合部４４と上パネル４２のコ字状部４３との間のクリアランスは１．５０ｍｍであるとする。また、図２０（ａ）に示すように、前方から見て、下パネル４１の中心と孔５３の中心までの距離は８４．４８ｍｍであるとする。
【００５２】
図２０（ａ）及び（ｂ）に示すように、使用者が上パネル４２（図１９参照）の角部を押圧すると、上パネル４２は、反対側に配置された係合部４４（位置ｐ）を支点として、方向６１に沿って傾斜する。このとき、上パネル４２は、押圧された角部側の係合部４４に当接する。従って、上パネル４２における係合部４４に当接する位置ａの変位量は１．５０ｍｍである。これにより、突出部５６が設けられている位置ｂの変位量は１．３７ｍｍとなる。なお、リブ５２に相当する位置ｃの変位量は１．００ｍｍであり、この位置のクリアランス（１．１５ｍｍ）よりも小さいため、上パネル４２はリブ５２には当接しない。
【００５３】
一方、図２１（ａ）及び（ｂ）に示すように、使用者が上パネル４２（図１９参照）の辺部を押圧すると、上パネル４２は、反対側に配置された係合部４４（位置ｐ）を支点として、方向６２に沿って傾斜する。このとき、上パネル４２は、下パネル４１のリブ５２に当接する。従って、上パネル４２におけるリブ５２に当接する位置ｃの変位量は１．１５ｍｍである。これにより、突出部５６が設けられている位置ｂの変位量は１．１９ｍｍとなる。なお、係合部４４に相当する位置ａの変位量は１．３１ｍｍであり、この位置のクリアランス（１．５０ｍｍ）よりも小さいため、上パネル４２は係合部４４には当接しない。
【００５４】
このように、上パネル４２における突出部５６が設けられている位置ｂの変位量は、上パネル４２の角部を押圧した場合には１．３７ｍｍであり、辺部を押圧した場合には１．１９ｍｍであり、角部を押圧した場合の方が大きい。また、上パネル４２の角部を押圧した場合は、辺部を押圧した場合よりも、カバー２３全体のたわみ量が大きい。このため、使用者が上パネル４２の角部を押圧した場合には、突出部５６がスイッチ２５を押下して切替えるが、辺部を押圧した場合には、スイッチ２５を切替えない。これにより、辺部を押圧した場合の誤動作を防止できる。なお、上述の寸法は一例であり、各部の寸法は上述の動作が実現できるような関係になっていればよい。
【００５５】
次に、スイッチ２７を操作する際の動作について説明する。  
図９乃至図１２に示すように、使用者がキートップ２７ａに触れていないときは、押圧部２７ｄが接点部２７ｂの反力によって押し上げられると共に、係止部２７ｅが延出部５０ａにより係止され、キートップ２７ａは移動域の前方側の端部に位置している。この状態では、接点部２７ｂは押下されていない。一方、使用者がキートップ２７ａを押圧すると、キートップ２７ａが接点部２７ｂの反力に逆らって下方に移動し、押圧部２７ｄの段差２７ｆが張出部５０ｂに当接することにより、移動域の後方側の端部で停止する。このとき、押圧部２７ｄが接点部２７ｂを押下し、接点部２７ｂの接続状態が切り替わる。その後、使用者がキートップ２７ａから手を離すと、接点部２７ｂの反力によりキートップ２７ａが前方側の端部に戻る。なお、このとき、表示部２６における操作しているスイッチ２７に隣接する領域に、スイッチ２７による操作結果を表示することができる。
【００５６】
そして、スイッチ２５、２７、２８及び３０による操作内容は送信部３１に伝達され、送信部３１がこの操作内容を表す制御信号を衛生洗浄装置等に向けて送信する。これにより、衛生洗浄装置等が要求された動作を実行する。なお、このとき、表示部２６がこの操作内容を表示してもよい。
【００５７】
本具体例によれば、カバー２３を閉じたときに、カバー２３に設けられた１つの開口部４５により表示部２６及びスイッチ２７を露出させており、また、スイッチ２５はカバー２３を介して操作することができるため、使用頻度が高い操作は、カバー２３を閉じたままで行うことができる。また、カバー２３には開口部を１つだけ形成すればよいため、開口部内に埃が溜まることが少なく、また、開口部内の清掃が容易であるため、清浄性が優れている。更に、スイッチ２７の端部が表示部２６の端部に乗り上げており、スイッチ２７の前面がリモコン本体２２の前面に対して傾斜しているため、表示部２６の前面、スイッチ２７の前面及びカバー２３の前面が略連続的な面を構成する。これにより、カバー２３を閉じると、リモコン装置２１の前面は、全体的に略連続的な面となる。この結果、リモコン装置２１を拭き掃除する際に、引っ掛かりが少なく、清掃作業性が優れている。また、見た目がすっきりしており、意匠性が優れている。
【００５８】
更に、本具体例においては、使用者がスイッチ２７を操作する際に、表示部２６は、操作しているスイッチ５に隣接する領域に、スイッチ５による操作内容を表示することができる。これにより、使用者は、表示部２６の表示内容を見ながら、スイッチ２７を操作することができる。このとき、スイッチ２７の表示部２６側の端部が表示部２６上に乗り上げているため、スイッチ２７が表示部２６に極めて近い位置に配置され、また、スイッチ２７と表示部２６との間に他の部品が介在していないため、使用者に、表示部２６とスイッチ２７との間に強い連続感を想起させることができる。これにより、使用者は、表示部２６の表示領域及びスイッチ２７を一体的に認識することができるため、スイッチ２７の操作性が極めて良好になる。
【００５９】
次に、本具体例の変形例について説明する。  
先ず、第１の変形例について説明する。  
図２２（ａ）は本変形例に係るリモコン装置を例示する平面図であり、（ｂ）はそのリモコン本体を例示する平面図である。  
図２２（ａ）に示すように、本変形例においては、カバー２３の前面において、角部ではなく辺部に凹部４６が形成されている。また、カバー２３にはリブ５２（図８参照）が設けられていない。なお、図２２（ｂ）に示すように、スイッチ２５は、リモコン本体２２の角部に設けられている。
【００６０】
本変形例においては、カバー２３の辺部を押圧したときに、この辺部を挟む２ヶ所の角部に設けられた２個のスイッチ２５が操作される。また、カバー２３の角部を押圧したときには、この角部に配置された１個のスイッチ２５のみが操作される。これにより、４個のスイッチ２５に８通りの操作を割り当てることができる。本変形例における上記以外の構成、動作及び効果は、前述の具体例と同様である。  
なお、本変形例においては、カバー２３の角部及び辺部の双方に凹部４６を形成し、それぞれの凹部４６に、その操作内容を表す図形又は文字等を表示してもよい。これにより、操作性がより向上する。
【００６１】
次に、本具体例の第２の変形例について説明する。  
図２３（ａ）は本変形例に係るリモコン装置を例示する平面図であり、（ｂ）はそのリモコン本体を例示する平面図である。  
図２３（ａ）に示すように、本変形例においては、カバー２３の前面において、角部ではなく辺部に凹部４６が形成されている。また、カバー２３にはリブ５２（図８参照）が設けられていない。更に、図２３（ｂ）に示すように、スイッチ２５は、リモコン本体２２の辺部に設けられている。
【００６２】
本具体例においては、カバー２３の辺部を押圧したときに、この辺部に配置された１個のスイッチ２５が操作される。また、カバー２３の角部を押圧したときには、この角部を挟む２ヶ所の辺部に配置された２個のスイッチ２５が操作される。これにより、４個のスイッチ２５に８通りの操作を割り当てることができる。本変形例における上記以外の構成、動作及び効果は、前述の具体例と同様である。  
なお、本変形例においては、カバー２３の角部にリブ５２を形成してもよい。これにより、カバー２３の角部を押圧することにより２個のスイッチ２５を操作することはできなくなるが、スイッチ２５の誤動作を確実に防止することができる。
【００６３】
次に、本具体例の第３の変形例について説明する。  
図２４は、本変形例に係るリモコン装置を例示する平面図である。  
図２４に示すように、本変形例においては、カバー２３の前面が、それぞれがカバー２３の各角部を含む４つの領域６３に色分けされている。各領域６３は、押圧することによりこの領域６３内に配置された突出部５６にスイッチ２５を押圧させることが可能な押圧領域に相当する。そして、各領域６３は、カバー２３の前面におけるこの領域６３に接する領域とは異なる色で色分けされている。色分けの方法としては、着色剤を用いる方法や、光源を用いる方法、蓄光材を用いる方法などが含まれる。これにより、使用者が特定のスイッチ２５を操作したいときに、カバー２３における押圧すべき領域を一目で認識することができ、操作性が向上する。この効果は、特に高齢者等、視力が弱い使用者に対しては有効である。本変形例における上記以外の構成、動作及び効果は、前述の具体例と同様である。なお、図２４においては、領域６３同士が接触している例を示しているが、領域６３の間の領域を他の色で色分けしてもよい。
【００６４】
次に、本具体例の第４の変形例について説明する。  
図２５は、本変形例に係るリモコン装置を例示する平面図である。  
図２５に示すように、本変形例においては、前方から見て、カバー２３における角部に相当する部分が、リモコン本体２２の外縁からはみ出している。これにより、前方から見て、カバー２３の前面における押圧領域、すなわち、押圧されることにより各突出部５６にスイッチ２５を押圧させることが可能な領域６４の一部が、リモコン本体２２から張り出した位置に設定されている。また、図２５に示す例では、領域６４は、カバー２３における領域６４以外の領域とは異なる色で色分けされている。
【００６５】
この結果、使用者が特定のスイッチ２５を操作したいときに、カバー２３における押圧すべき領域が広くなり、操作性が向上する。この効果は、特に高齢者等、視力が弱い使用者に対しては有効である。本変形例における上記以外の構成、動作及び効果は、前述の具体例と同様である。  
なお、図２５においては、領域６４の形状を三角形としているが、これに限定されず、例えば、四角形若しくは五角形等の多角形若しくは角を丸めた多角形、円若しくは楕円、又はハート形等、意匠的にデザインされた形状としてもよい。
【００６６】
図２６は、本発明の実施の形態にかかるリモコン装置により操作可能なトイレ装置の外観を例示する模式斜視図である。  
【００６７】
このトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対してそれぞれ開閉自在に軸支されている。
【００６８】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００６９】
この具体例の場合、本体部４００の上面には凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００７０】
また、本体部４００には、「温風乾燥ユニット」や、「脱臭ユニット」、「室内暖房ユニット」などの各種の機構が適宜設けられ、その側面には、排気口４４０及び排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００７１】
これらの機能は、本体部４００に設けられた操作部（図示せず）を適宜操作することにより実行・設定できるが、トイレの壁面などに設置されたリモコン（図示せず）を操作することにより実行させることも可能である。そして、本実施形態によれば、図１〜図２５に関して前述したリモコン装置を用いることにより、優れた清掃性、操作性、デザイン性などが得られ、快適なトイレルームを提供できる。
【００７２】
以上、具体例を参照しつつ、本発明の実施形態について説明した。しかし、本発明は、これらの実施形態及びその具体例に限定されるものではない。例えば、リモコン装置の外形は角が丸められた正方形には限定されず、任意の形状とすることができる。また、カバーに形成された開口部の形状も正方形には限定されず、また、その配設位置もカバーの中央部には限定されない。更に、リモコン装置から衛生洗浄装置等への制御信号の送信は赤外線方式に限定されず、他の波長の電磁波を利用してもよく、超音波を利用してもよく、または、有線方式により電気信号を送信してもよい。更にまた、リモコン装置を駆動するための電力は内蔵した電池により供給されてもよく、家庭用電源から供給されてもよい。
【００７３】
また、上述の具体例及び変形例は、技術的な可能な範囲において任意に組み合わせることができ、このような組み合わせによって得られたリモコン装置についても、本発明の要旨を含む限り、本発明の範囲に包含される。更に、上述の具体例及び変形例並びにこれらの組み合わせに係るリモコン装置に対して、当業者が適宜設計変更を加えたものも、本発明の要旨を含む限り、本発明の範囲に包含される。更に、前述の実施形態においては、リモコン装置がトイレ装置に搭載された衛生洗浄装置等の電子機器のリモコン装置である例を示したが、本発明はこれに限定されず、あらゆる電子機器のリモコン装置に適用することができる。
【図面の簡単な説明】
【００７４】
【図１】（ａ）及び（ｂ）は、本発明の実施形態に係るリモコン装置を例示する斜視図であり、（ａ）はカバーが閉じた状態を示し、（ｂ）はカバーが開いた状態を示す。
【図２】本実施形態の具体例に係るリモコン装置を例示する斜視図である。
【図３】本具体例に係るリモコン装置のリモコン本体を例示する正面図及び上面図である。
【図４】本具体例に係るリモコン装置を例示する平面図である。
【図５】本具体例に係るリモコン装置を例示する背面図である。
【図６】本具体例に係るリモコン装置を例示する鉛直方向及び前後方向に平行な断面斜視図である。
【図７】本具体例に係るリモコン装置の下パネルを例示する斜視図である。
【図８】この下パネルに形成されたリブを例示する一部拡大斜視図である。
【図９】本具体例に係るリモコン装置を例示する平面図である。
【図１０】（ａ）及び（ｂ）は、それぞれ図９に示すＡ−Ａ’線による断面図及び断面斜視図である。
【図１１】（ａ）及び（ｂ）は、それぞれ図９に示すＢ−Ｂ’線による断面図及び断面斜視図である。
【図１２】（ａ）及び（ｂ）は、それぞれ図９に示すＣ−Ｃ’線による断面図及び断面斜視図である。
【図１３】本具体例に係るリモコン装置を例示する平面図である。
【図１４】図１３に示すＤ−Ｄ’線による断面斜視図である。
【図１５】図１３に示すＤ−Ｄ’線による一部拡大断面斜視図である。
【図１６】図１３に示すＥ−Ｅ’線による断面斜視図である。
【図１７】図１３に示すＥ−Ｅ’線による一部拡大断面斜視図である。
【図１８】図１３に示すＦ−Ｆ’線による一部拡大断面斜視図である。
【図１９】本具体例に係るリモコン装置における各部の寸法を模式的に例示する図である。
【図２０】（ａ）及び（ｂ）は、カバーの角部が押圧されたときの動作を例示する図である。
【図２１】（ａ）及び（ｂ）は、カバーの辺部が押圧されたときの動作を例示する図である。
【図２２】（ａ）は第１の変形例に係るリモコン装置を例示する平面図であり、（ｂ）はそのリモコン本体を例示する平面図である。
【図２３】（ａ）は第２の変形例に係るリモコン装置を例示する平面図であり、（ｂ）はそのリモコン本体を例示する平面図である。
【図２４】第３の変形例に係るリモコン装置を例示する平面図である。
【図２５】第４の変形例に係るリモコン装置を例示する平面図である。
【図２６】本発明の実施の形態にかかるリモコン装置により操作可能なトイレ装置の外観を例示する模式斜視図である。
【符号の説明】
【００７５】
１  リモコン装置、２  リモコン本体、３  カバー、４  スイッチ、５  表示部、６  送信部、７  開口部、８  下パネル、９  上パネル、１１  開口部、１２  付勢手段、１３  規制手段、１５  孔、１６  開口部、１７  突出部、２１  リモコン装置、２２  リモコン本体、２２ａ  トッププレート、２３  カバー、２４  ヒンジ、２５  スイッチ、２６  表示部、２６ａ  ＬＥＤ、２６ｂ  導光板、２６ｃ  液晶表示パネル、２６ｄ  保護板、２７  スイッチ、２７ａ  キートップ、２７ｂ  接点部、２７ｃ  前面板、２７ｄ  押圧部、２７ｅ  係止部、２７ｆ  段差、２７ｇ  端部、２８  スイッチ、２９  表面シート、３０  スイッチ、３１  送信部、４１  下パネル、４２  上パネル、４３  コ字状部、４４  係合部、４５  開口部、４６  凹部、４７  背面板、４８  ハンガー、５０  支持架台、５０ａ  延出部、５０ｂ  張出部、５１  開口部、５２  リブ、５３  孔、５４  バネ、５６  突出部、５７  開口部、６０  領域、６１  方向、６２  方向、６３  領域、６４  領域、１００ 衛生洗浄装置、２００ 便座、３００ 便蓋、３１０ 透過窓、４００ 本体部、４２０ 着座センサ、４４０ 排気口、４５０ 排出口、５００ 人体検知センサ、８００ 便器
【図１】
2007288369.tif 000003
【図２】
2007288369.tif 000004
【図３】
2007288369.tif 000005
【図４】
2007288369.tif 000006
【図５】
2007288369.tif 000007
【図６】
2007288369.tif 000008
【図７】
2007288369.tif 000009
【図８】
2007288369.tif 000010
【図９】
2007288369.tif 000011
【図１０】
2007288369.tif 000012
【図１１】
2007288369.tif 000013
【図１２】
2007288369.tif 000014
【図１３】
2007288369.tif 000015
【図１４】
2007288369.tif 000016
【図１５】
2007288369.tif 000017
【図１６】
2007288369.tif 000018
【図１７】
2007288369.tif 000019
【図１８】
2007288369.tif 000020
【図１９】
2007288369.tif 000021
【図２０】
2007288369.tif 000022
【図２１】
2007288369.tif 000023
【図２２】
2007288369.tif 000024
【図２３】
2007288369.tif 000025
【図２４】
2007288369.tif 000026
【図２５】
2007288369.tif 000027
【図２６】
2007288369.tif 000028
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
電子機器を操作するためのリモコン装置であって、
リモコン本体と、
前記リモコン本体に開閉自在に取り付けられ、閉じたときに前記リモコン本体の前面を覆い開いたときに前記前面を露出させるカバーと、
を備え、
前記リモコン本体は、
前記リモコン本体の前面に設けられ操作内容を表示する表示部と、
前記リモコン本体の前面において前記表示部の周囲に設けられた複数のスイッチと、
を有し、
前記カバーは、
閉じたときに前記リモコン本体の前面の全体を覆い、且つ前記表示部を露出させる開口部が設けられたパネルを有し、
前記パネルは、前記開口部の周囲において前記リモコン本体の側に設けられた複数のスイッチ操作手段を有し、
前記カバーが閉じているときに、前記パネルが前記リモコン本体に向けて押圧されることにより、前記パネルを傾斜させて前記複数のスイッチ操作手段の少なくともいずれかを突出させて前記複数のスイッチのいずれかを選択的に押圧することを特徴とするリモコン装置。
【請求項２】
前記パネルは、
前記パネルを閉じたときに前記リモコン本体に対して位置決めされる下パネルと、
前記下パネルから見て前記リモコン本体の反対側に重ねられ前記下パネルに支持された上パネルと、
を有し、
前記下パネルは、
前記上パネルを前記下パネルから離れる方向に向けて付勢する付勢手段と、
前記上パネルの前記下パネルから離れる方向への移動を規制して前記付勢手段と共に前記上パネルの前記下パネルに対する姿勢を一定に保つ規制手段と、
を有し、
前記上パネルは、
前記パネルを閉じたときに前記スイッチに整合する位置に設けられた前記スイッチ操作手段を有することを特徴とする請求項１記載のリモコン装置。
【請求項３】
前記上パネル若しくは下パネルのいずれか一方は、前記スイッチ操作手段間の領域に相当する領域に設けられ前記上パネルの前記下パネルに向かう方向への移動を規制するリブをさらに有したことを特徴とする請求項２記載のリモコン装置。
【請求項４】
前方から見て、前記リモコン本体及び前記パネルの外縁が多角形をなしており、前記スイッチ操作手段が前記多角形の角部に設けられていることを特徴とする請求項１〜３のいずれか１つに記載のリモコン装置。
【請求項５】
前方から見て、前記リモコン本体及び前記パネルの外縁が多角形をなしており、前記スイッチ操作手段が前記多角形の辺部に設けられていることを特徴とする請求項１〜３のいずれか１つに記載のリモコン装置。
【請求項６】
前記パネルの前面を押圧することにより前記スイッチを押圧可能な押圧領域には、前記パネルにおける前記押圧領域に接する領域とは異なる色で色分けされていることを特徴とする請求項１〜５のいずれか１つに記載のリモコン装置。
【請求項７】
前記パネルの前面を押圧することにより前記スイッチを押圧可能な押圧領域には、前記押圧領域を識別するための図柄が表示されていることを特徴とする請求項１〜６のいずれか１つに記載のリモコン装置。
【請求項８】
前記パネルの前面を押圧することにより前記スイッチを押圧可能な押圧領域には、前記押圧領域を識別するための凹部、凸部又は凹凸部が形成されていることを特徴とする請求項１〜７のいずれか１つに記載のリモコン装置。
【請求項９】
前記パネルの前面を押圧することにより前記スイッチを押圧可能な押圧領域は、前方から見て、前記リモコン本体から張り出していることを特徴とする請求項１〜８のいずれか１つに記載のリモコン装置。
【請求項１０】
前記カバーを閉じたときに、前記カバーの前面及び前記表示部の前面は、略連続した面を形成することを特徴とする請求項１〜９のいずれか１つに記載のリモコン装置。
【請求項１１】
前記リモコン本体は、前記表示部の周囲に配置されその端部が前記表示部の端部に乗り上げた他のスイッチをさらに有し、
前記カバーを閉じたときに、前記カバーの開口部は前記表示部と共に前記他のスイッチも露出させ、
前記カバーの前面、前記他のスイッチの前面及び前記表示部の前面は、略連続した面を形成することを特徴とする請求項１〜９のいずれか１つに記載のリモコン装置。
【請求項１２】
前記電子機器は、便器に付設される衛生洗浄装置であることを特徴とする請求項１〜１１のいずれか１つに記載のリモコン装置。
【手続補正２】
【補正対象書類名】明細書
【補正対象項目名】０００７
【補正方法】変更
【補正の内容】
【０００７】
本発明の一態様によれば、電子機器を操作するためのリモコン装置であって、リモコン本体と、前記リモコン本体に開閉自在に取り付けられ、閉じたときに前記リモコン本体の前面を覆い開いたときに前記前面を露出させるカバーと、を備え、前記リモコン本体は、前記リモコン本体の前面に設けられ操作内容を表示する表示部と、前記リモコン本体の前面において前記表示部の周囲に設けられた複数のスイッチと、を有し、前記カバーは、閉じたときに前記リモコン本体の前記前面の全体を覆い、且つ前記表示部を露出させる開口部が設けられたパネルを有し、前記パネルは、前記開口部の周囲において前記リモコン本体の側に設けられた複数のスイッチ操作手段を有し、前記カバーが閉じているときに、前記パネルが前記リモコン本体に向けて押圧されることにより、前記パネルを傾斜させて前記複数のスイッチ操作手段の少なくともいずれかを突出させて前記複数のスイッチのいずれかを選択的に押圧することを特徴とするリモコン装置が提供される。